(57)【要約】【課題】仮名入力を容易に行う。【解決手段】一方向に配列された、５０音の行を選択するための５つの行選択キー１２０が押下されると、行選択部１４０が、押下された行選択キー１２０および押下のタイミングに応じた行を選択し、行選択キー１２０の配列と垂直方向に配列され、５０音の段を選択するための５つの段選択キー１３０が押下されると、仮名選択部１５０が、５０音のうち、行選択部１４０が選択した行の中の段選択キー１３０と押下のタイミングとに応じて、仮名の選択、または仮名の濁音の選択、または仮名の半濁音の選択、または仮名の促音の選択を行う。【選択図】図２
2012084060.tif 000002
【特許請求の範囲】
【請求項１】
外部から仮名を入力する仮名入力装置であって、
一方向に配列され、５０音の行を選択するための５つの行選択キーと、
前記行選択キーの配列と垂直方向に配列され、前記５０音の段を選択するための５つの段選択キーと、
前記行選択キーが押下されると、該押下された行選択キーおよび該押下のタイミングに応じた行を選択する行選択部と、
前記段選択キーが押下されると、前記５０音のうち、前記行選択部が選択した行の中の前記段選択キーに応じた段の仮名を選択する仮名選択部と、
前記仮名選択部が選択した仮名に応じた制御を行う制御部とを有し、
前記仮名選択部は、前記段選択キーの押下のタイミングに応じて、前記仮名の選択と、前記仮名の濁音の選択と、前記仮名の半濁音の選択と、前記仮名の促音の選択とのいずれかを行う仮名入力装置。
【請求項２】
請求項１に記載の仮名入力装置において、
前記行選択部は、前記行選択キーの押下のタイミングが短押しである場合、「あ行」、「か行」、「さ行」、「た行」および「な行」のうち、該押下された行選択キーに応じた行を選択し、前記行選択キーの押下のタイミングが長押しである場合、「は行」、「ま行」、「や行」、「ら行」および「わ行」のうち、該押下された行選択キーに応じた行を選択することを特徴とする仮名入力装置。
【請求項３】
請求項１に記載の仮名入力装置において、
前記行選択部は、前記行選択キーの押下のタイミングが短押しである場合、「あ行」、「か行」、「さ行」、「た行」および「な行」のうち、該押下された行選択キーに応じた行を選択し、前記行選択キーの押下のタイミングがダブルクリックである場合、「は行」、「ま行」、「や行」、「ら行」および「わ行」のうち、該押下された行選択キーに応じた行を選択することを特徴とする仮名入力装置。
【請求項４】
請求項１に記載の仮名入力装置において、
前記仮名選択部は、前記段選択キーの押下のタイミングが短押しである場合、前記仮名の選択を行い、前記段選択キーの押下のタイミングが長押しである場合、前記仮名の濁音の選択を行い、前記段選択キーの押下のタイミングがダブルクリックである場合、前記仮名の促音の選択または前記仮名の半濁音の選択を行うことを特徴とする仮名入力装置。
【請求項５】
請求項１に記載の仮名入力装置において、
前記行選択キーは、互いに縦方向に配列され、
前記段選択キーは、互いに横方向に配列されることを特徴とする仮名入力装置。
【発明の詳細な説明】
【技術分野】
【０００１】
本発明は、外部から仮名を入力する仮名入力装置に関する。
【背景技術】
【０００２】
一般的に、携帯情報機器である携帯端末等に仮名を入力する場合、当該携帯端末に設けられたボタンキーを用いて入力する。その入力方法は、同じボタンキーを複数回押下して入力するものであり、ボタンキーを押下する回数が多く、使いやすいものとは言えない。また、誤入力が発生してしまうおそれもある。
【０００３】
そこで、一般的な携帯電話機に具備されている０〜９までの数字が割り当てられているボタンキーと、「＊」印および「＃」印のボタンキーとに、５０音の「あ」の行の仮名と、「あ」の段の仮名とを割り当てて、それらを用いて所望の仮名を入力する技術が考えられている（例えば、特許文献１参照。）。
【先行技術文献】
【特許文献】
【０００４】
【特許文献１】特開２００７−１４８６１９号公報
【発明の概要】
【発明が解決しようとする課題】
【０００５】
しかしながら、特許文献１に記載された技術においては、ボタンキーへの仮名の割り当てがわかりにくいという問題点がある。
【０００６】
本発明の目的は、上述した課題を解決する仮名入力装置を提供することである。
【課題を解決するための手段】
【０００７】
本発明の仮名入力装置は、
外部から仮名を入力する仮名入力装置であって、
一方向に配列され、５０音の行を選択するための５つの行選択キーと、
前記行選択キーの配列と垂直方向に配列され、前記５０音の段を選択するための５つの段選択キーと、
前記行選択キーが押下されると、該押下された行選択キーおよび該押下のタイミングに応じた行を選択する行選択部と、
前記段選択キーが押下されると、前記５０音のうち、前記行選択部が選択した行の中の前記段選択キーに応じた段の仮名を選択する仮名選択部と、
前記仮名選択部が選択した仮名に応じた制御を行う制御部とを有し、
前記仮名選択部は、前記段選択キーの押下のタイミングに応じて、前記仮名の選択と、前記仮名の濁音の選択と、前記仮名の半濁音の選択と、前記仮名の促音の選択とのいずれかを行う。
【発明の効果】
【０００８】
以上説明したように、本発明においては、仮名入力を容易に行うことができる。
【図面の簡単な説明】
【０００９】
【図１】本発明の仮名入力装置の外観の一例を示す図である。
【図２】図１に示した携帯端末の内部構造の一例を示す図である。
【図３】図２に示した記憶部に記憶されている行選択テーブルの一例を示す図である。
【図４】図２に示した記憶部に記憶されている行選択テーブルの他の例を示す図である。
【図５】図２に示した記憶部に記憶されている仮名選択テーブルの一例を示す図である。
【図６】本形態における仮名選択処理を説明するためのフローチャートである。
【発明を実施するための形態】
【００１０】
以下に、本発明の実施の形態について図面を参照して説明する。
【００１１】
図１は、本発明の仮名入力装置の外観の一例を示す図である。ここでは、本発明の仮名入力装置が、外部から仮名を入力する携帯端末である場合を例に挙げて説明する。
【００１２】
図１に示すように携帯端末１００には、表示部１１０と、行選択キー１２０と、段選択キー１３０とが設けられている。
【００１３】
表示部１１０は、情報を表示する一般的なディスプレイである。
【００１４】
行選択キー１２０は、一方向に配列され、５０音の仮名の行（「あ」の行、「か」の行等）を選択するための５つのボタンキーである。また、５つの行選択キー１２０は、互いに縦方向に配列されている。なお、行選択キー１２０の構造は、一般的な携帯端末等の情報端末に具備された、情報を入力するためのボタンキーの構造と同じものであっても良い。
【００１５】
段選択キー１３０は、行選択キー１２０の配列と垂直方向に配列され、５０音の仮名の段（「あ」の段、「い」の段等）を選択するための５つのボタンキーである。また、５つの段選択キー１３０は、互いに横方向に配列されている。なお、段選択キー１３０の構造は、一般的な携帯端末等の情報端末に具備された、情報を入力するためのボタンキーの構造と同じものであっても良い。
【００１６】
また、行選択キー１２０と段選択キー１３０との位置関係は、図１に示すように、利用者が携帯端末１００を保持した状態で、行選択キー１２０が段選択キー１３０よりも左側に配置されているものであっても良いし、右側に配置されているものであっても良い。つまり、片方の手で行選択キー１２０を操作し、他方の手で段選択キー１３０を操作することが容易な位置に、それぞれが配置されていることが好ましい。なお、図１に示すような垂直関係ではなく、双方とも縦方向に配列されたものや、行選択キー１２０と段選択キー１３０とが、携帯端末１００の左右の端にそれぞれ、半円を描くようなラインに配列されるものも考えられる。
【００１７】
図２は、図１に示した携帯端末１００の内部構造の一例を示す図である。
【００１８】
図１に示した携帯端末１００には図２に示すように、図１に示した表示部１１０、行選択キー１２０および段選択キー１３０に加え、行選択部１４０と、仮名選択部１５０と、制御部１６０と、記憶部１７０とが設けられている。なお、図２には、図１に示した携帯端末１００が具備する構成要素のうち、本発明に関わる要素のみを示した。
【００１９】
行選択部１４０は、行選択キー１２０が押下されると、押下された行選択キー１２０およびその押下のタイミングに応じた行を選択する。この選択には、記憶部１７０に記憶されている行選択テーブルを使用する。行選択テーブルの詳細については、後述する。また、行選択部１４０は、選択した行を示す選択行情報を仮名選択部１５０へ出力する。
【００２０】
仮名選択部１５０は、行選択部１４０から選択行情報が出力されてきた後、段選択キー１３０が押下されると、５０音のうち、行選択部１４０から出力されてきた選択行情報が示す行の中の、押下された段選択キー１３０に応じた段の仮名を選択する。このとき、仮名選択部１５０は、段選択キー１３０の押下のタイミングに応じて、仮名の選択と、仮名の濁音の選択と、仮名の半濁音の選択と、仮名の促音の選択とのいずれかを行う。この選択には、記憶部１７０に記憶されている仮名選択テーブルを使用する。仮名選択テーブルの詳細については、後述する。また、仮名選択部１５０は、選択した仮名を制御部１６０へ出力する。
【００２１】
制御部１６０は、仮名選択部１５０から出力されてきた仮名に応じた制御を行う。例えば、制御部１６０は、仮名選択部１５０から出力されてきた仮名を、表示部１１０へ表示させる。
【００２２】
記憶部１７０は、あらかじめ設定された行選択テーブルと仮名選択テーブルとを記憶する。
【００２３】
図３は、図２に示した記憶部１７０に記憶されている行選択テーブルの一例を示す図である。
【００２４】
図２に示した記憶部１７０に記憶されている行選択テーブルは図３に示すように、それぞれの行選択キーと、「短押し」および「長押し」の押下のタイミングとが対応付けられて記憶されている。行選択キーをＡ、Ｂ、Ｃ、ＤおよびＥとしているが、これは説明の便宜上示したものであり、ここでは、図１に示した行選択キー１２０の上からＡ、Ｂ、Ｃ、ＤおよびＥとする。また、「短押し」とは、ボタンキーを押す通常の時間で行選択キー１２０が押されたことを示す。また、「長押し」とは、ボタンキーを押す通常の時間よりも長い時間で行選択キー１２０が押されたことを示す。この「短押し」と「長押し」との区別は、一般的なものであって良い。例えば、ある時間の閾値を設定しておき、押下のタイミング（押下している時間）が当該閾値以下の場合、「短押し」と判定し、押下のタイミングが当該閾値よりも長い時間である場合、「長押し」と判定するものであっても良い。また、「短押し」には、「あ行」、「か行」、「さ行」、「た行」および「な行」が対応付けられて記憶されている。また、「長押し」には、「は行」、「ま行」、「や行」、「ら行」および「わ行」が対応付けられて記憶されている。
【００２５】
なお、「長押し」に「あ行」、「か行」、「さ行」、「た行」および「な行」が対応付けられて記憶され、「短押し」に「は行」、「ま行」、「や行」、「ら行」および「わ行」が対応付けられて記憶されているものであっても良い。
【００２６】
図３に示した行選択テーブルが図２に示した記憶部１７０に記憶されている場合の行選択部１４０における選択処理について、いくつかの例を挙げて具体的に説明する。
【００２７】
例えば、行選択キー１２０のうち「Ｂ」が短押しされた場合、行選択テーブルにて行選択キー「Ｂ」と、押下のタイミング「短押し」とに対応する「か行」が選択される。また、行選択キー１２０のうち「Ｄ」が長押しされた場合、行選択テーブルにて行選択キー「Ｄ」と、押下のタイミング「長押し」とに対応する「ら行」が選択される。
【００２８】
つまり、行選択キー１２０の押下のタイミングが「短押し」である場合、「あ行」、「か行」、「さ行」、「た行」および「な行」のうち、押下された行選択キーに応じた行が選択される。また、行選択キー１２０の押下のタイミングが「長押し」である場合、「は行」、「ま行」、「や行」、「ら行」および「わ行」のうち、押下された行選択キーに応じた行が選択される。
【００２９】
また、押下のタイミングとして、ダブルクリックを用いるものであっても良い。
【００３０】
図４は、図２に示した記憶部１７０に記憶されている行選択テーブルの他の例を示す図である。
【００３１】
図２に示した記憶部１７０に記憶されている行選択テーブルは図４に示すように、それぞれの行選択キーと、「短押し」および「ダブルクリック」の押下のタイミングとが対応付けられて記憶されている。行選択キーのＡ、Ｂ、Ｃ、ＤおよびＥは、図３に示したものと同じである。また、「短押し」についても、図３に示したものと同じである。また、「ダブルクリック」とは、一般的なダブルクリック（所定の時間内に、連続して２回押下する）ものである。また、「短押し」には、「あ行」、「か行」、「さ行」、「た行」および「な行」が対応付けられて記憶されている。また、「ダブルクリック」には、「は行」、「ま行」、「や行」、「ら行」および「わ行」が対応付けられて記憶されている。
【００３２】
なお、「ダブルクリック」に「あ行」、「か行」、「さ行」、「た行」および「な行」が対応付けられて記憶され、「短押し」に「は行」、「ま行」、「や行」、「ら行」および「わ行」が対応付けられて記憶されているものであっても良い。
【００３３】
図４に示した行選択テーブルが図２に示した記憶部１７０に記憶されている場合の行選択部１４０における選択処理について、いくつかの例を挙げて具体的に説明する。
【００３４】
例えば、行選択キー１２０のうち「Ｃ」が短押しされた場合、行選択テーブルにて行選択キー「Ｃ」と、押下のタイミング「短押し」とに対応する「さ行」が選択される。また、行選択キー１２０のうち「Ａ」がダブルクリックされた場合、行選択テーブルにて行選択キー「Ａ」と、押下のタイミング「ダブルクリック」とに対応する「は行」が選択される。
【００３５】
つまり、行選択キー１２０の押下のタイミングが「短押し」である場合、「あ行」、「か行」、「さ行」、「た行」および「な行」のうち、押下された行選択キーに応じた行が選択される。また、行選択キー１２０の押下のタイミングが「ダブルクリック」である場合、「は行」、「ま行」、「や行」、「ら行」および「わ行」のうち、押下された行選択キーに応じた行が選択される。
【００３６】
図５は、図２に示した記憶部１７０に記憶されている仮名選択テーブルの一例を示す図である。
【００３７】
図２に示した記憶部１７０に記憶されている仮名選択テーブルは図５に示すように、行選択部１４０が選択した選択行と、段選択キーおよび押下のタイミングである「短押し」「長押し」および「ダブルクリック」とが対応付けられ、その対応付けに対応する仮名が記憶されている。段選択キーをａ、ｂ、ｃ、ｄおよびｅとしているが、これは説明の便宜上示したものであり、ここでは、図１に示した段選択キー１３０の左からａ、ｂ、ｃ、ｄおよびｅとする。また、「短押し」、「長押し」および「ダブルクリック」については、図３および図４にて説明したものと同じである。また、「短押し」には仮名が、「長押し」には濁音が、「ダブルクリック」には、促音または半濁音が対応して記憶されている。
【００３８】
なお、「短押し」、「長押し」および「ダブルクリック」が、仮名、濁音、促音および半濁音とのいずれかに対応して記憶されるかについては、特に規定しない。例えば、「ダブルクリック」と仮名とが対応付けられ、「短押し」と濁音とが対応付けられ、「長押し」と促音および半濁音とが対応付けられて記憶されるものであっても良い。
【００３９】
図５に示した仮名選択テーブルが図２に示した記憶部１７０に記憶されている場合の仮名選択部１５０における選択処理について、いくつかの例を挙げて具体的に説明する。
【００４０】
例えば、行選択部１４０から出力されてきた選択行情報が示す選択行が「ま行」であり、段選択キー１３０のうち「ｂ」が短押しされた場合、仮名選択テーブルにて選択行「ま行」と、段選択キー「ｂ」と押下のタイミング「短押し」とに対応する仮名「み」が選択される。また、行選択部１４０から出力されてきた選択行情報が示す選択行が「か行」であり、段選択キー１３０のうち「ｅ」が長押しされた場合、仮名選択テーブルにて選択行「か行」と、段選択キー「ｅ」と押下のタイミング「長押し」とに対応する仮名の濁音「ご」が選択される。また、行選択部１４０から出力されてきた選択行情報が示す選択行が「は行」であり、段選択キー１３０のうち「ａ」がダブルクリックされた場合、仮名選択テーブルにて選択行「は行」と、段選択キー「ａ」と押下のタイミング「ダブルクリック」とに対応する仮名の半濁音「ぱ」が選択される。
【００４１】
つまり、段選択キー１３０の押下のタイミングが「短押し」である場合、選択行の中の押下された段選択キー１３０に応じた段の仮名が選択される。また、段選択キー１３０の押下のタイミングが「長押し」である場合、選択行の中の押下された段選択キー１３０に応じた段の仮名の濁音が選択される。また、段選択キー１３０の押下のタイミングが「ダブルクリック」である場合、選択行の中の押下された段選択キー１３０に応じた段の仮名の促音または半濁音が選択される。
【００４２】
以下に、本形態における仮名選択処理について説明する。ここでは、図２に示した記憶部１７０に、図３に示した行選択テーブルおよび図５に示した仮名選択テーブルが記憶されている場合を例に挙げて説明する。
【００４３】
図６は、本形態における仮名選択処理を説明するためのフローチャートである。
【００４４】
まず、行選択キー１２０が利用者によって押下されると、押下のタイミングが短押しであるか、または長押しであるかが、行選択部１４０にて判定される（ステップＳ１）。
【００４５】
短押しであると判定された場合、「あ行」から「な行」までの中から、押下された行選択キー１２０に応じた行が、行選択部１４０によって選択される（ステップＳ２）。
【００４６】
一方、長押しであると判定された場合、「は行」から「わ行」までの中から、押下された行選択キー１２０に応じた行が、行選択部１４０によって選択される（ステップＳ３）。
【００４７】
ステップＳ２、Ｓ３における選択には、記憶部１７０に記憶された行選択テーブルが用いられる。
【００４８】
続いて、段選択キー１３０が利用者によって押下されると、押下のタイミングが短押しであるか、または長押しであるか、またはダブルクリックであるかが、仮名選択部１５０にて判定される（ステップＳ４）。
【００４９】
短押しであると判定された場合、押下された段選択キー１３０に応じた仮名が仮名選択部１５０によって選択される（ステップＳ５）。
【００５０】
また、ステップＳ４にて、長押しであると判定された場合は、押下された段選択キー１３０に応じた仮名の半濁音が仮名選択部１５０によって選択される（ステップＳ６）。
【００５１】
また、ステップＳ４にて、ダブルクリックであると判定された場合は、押下された段選択キー１３０に応じた仮名の促音または半濁音が仮名選択部１５０によって選択される（ステップＳ７）。
【００５２】
ステップＳ５〜Ｓ７における選択には、記憶部１７０に記憶された仮名選択テーブルが用いられる。
【００５３】
そして、ステップＳ５またはステップＳ６またはステップＳ７にて選択された仮名が、仮名選択部１５０から制御部１６０へ出力され、当該仮名に応じた制御が行われる（ステップＳ８）。例えば、当該仮名が表示部１１０に表示される。
【００５４】
なお、連続して互いに同じ行に属する仮名を選択する場合、行選択キー１２０の選択を省略するものであっても良い。
【００５５】
また、押下のタイミングとして、「短押し」、「長押し」および「ダブルクリック」を例に挙げて説明したが、他の押下のタイミングを用いるものであっても良いことは言うまでもない。
【００５６】
以上により、ボタンキーの押下の回数が削減できることから、すべての仮名を素早く入力することができ、また、誤入力の低減を図ることができる。また、行選択キー１２０および段選択キー１３０の配置が、一般的な５０音の仮名入力を行いやすい配置となっており、容易な仮名入力を行うことができる。
【符号の説明】
【００５７】
１００    携帯端末
１１０    表示部
１２０    行選択キー
１３０    段選択キー
１４０    行選択部
１５０    仮名選択部
１６０    制御部
１７０    記憶部
【図１】
2012084060.tif 000003
【図２】
2012084060.tif 000004
【図３】
2012084060.tif 000005
【図４】
2012084060.tif 000006
【図５】
2012084060.tif 000007
【図６】
2012084060.tif 000008